(57)【要約】      （修正有）【課題】不定形の多くの鍵束を鍵ホルダ保持具に鍵や鍵束が重ならないようにし、小スペースに収納して保管でき、鍵束の識別や取出し・装着が容易で、且つ盗難・紛失の有無が効率よく管理できる収納ケースを提供する。【解決手段】保管ケース１を横置きまたは引き出しにして、鍵ホルダ保持具６を向かい合わせに配置することで、同じスペースで鍵ホルダ保持具と鍵ホルダ保持具の間隔を２倍にし、向かい合わせの鍵ホルダ保持具に装着した鍵束が共通の鍵束収納部のスペースに収納されるようにした。鍵ホルダ部２と鍵束収納部３に仕切りを装備し、収納部は鍵ホルダ保持具部より高さを低くすることで、鍵や鍵束等が収納部のスペースに容易に納まるようにした。【選択図】図１
2013036307.tif 000002
【特許請求の範囲】
【請求項１】
鍵収納ケースを横型にして、鍵ホルダ保持具を２列向かい合わせ、三角形、四角形、多角形、円形などに配置し、鍵収納スペースを共用することで、大きな鍵収納スペースを確保し、不定形で多様な鍵束等の収納を容易にし、鍵束等の保管が可能な鍵収納ケース。
【発明の詳細な説明】
【技術分野】
【０００１】この発明は、複数の鍵や鍵束を収納し保管する、携帯また設置型の鍵収納ケースに関する。
【背景技術】
【０００２】警備会社やビル管理会社は、警備やビル管理のために顧客より鍵を預かり保管している。通常、一顧客に対し預かる鍵は複数で、その種類、形状、数などは多様である。業務を行なう場合は、複数の鍵が必要でひとつでも欠けると業務が正しく遂行できなくなる。このため預かった鍵は顧客毎に鍵ホルダに束としてまとめ保管・管理するのが一般的である。しかしながら、従来の鍵収納ケースは鍵束が取り付けられた鍵ホルダを装着するための鍵ホルダ保持具が、行列に一定の間隔で配置されているため、不定形の鍵束が取り付けられた鍵ホルダを鍵ホルダ保持具に装着すると、左右上下の鍵束同士が重なりあったり、鍵束で鍵ホルダや鍵ホルダ保持具が隠れたりするため、整然と鍵ホルダを鍵ホルダ保持具に装着して保管することが困難であった。従来の方法で鍵束を保管するためには、鍵ホルダ保持具の左右上下の間隔を大きく取る必要があり、この場合大きな鍵の保管スペースが必要となる。これに伴って鍵収納ケースの外形が大きくなってしまう。
特に、鍵束を車両で携帯する場合は、車両に搭載できる寸法が制限されるために、それに収納して携帯できる鍵束の数も制限されることになる。
携帯できる鍵束を多くするために、小さな寸法で多くの鍵束を収納できる、鍵収納ケースが望まれている。
ただ収納するだけであれば、単なる箱を準備し、その中に鍵束を重ねて入れておくことで目的は達せられるが、実際には、警備業務など時間に厳しい制約があり、鍵を使用する場合は、短時間で数多くの鍵束の中から該当する鍵束を識別し、取出すことが必要である。またセキュリティ管理のためには、収納されているすべての鍵束が、盗難や紛失していないことが容易に判別できる必要があるため、単なる箱ではこれらの要求を満たすことはできない。
上記のように鍵収納ケースの外形を大きくすることなく、数多くの不定形の鍵束の収納が可能で、盗難・紛失の有無が容易に判別できる鍵収納ケースが望まれていた。
【発明の概要】
【発明が解決しようとする課題】
【０００３】これは、次のような欠点があった。
従来の鍵収納ケースは鍵や鍵束などを収納するための鍵ホルダ保持具が行列に一定の間隔で配置されているため、不定形の鍵束を鍵ホルダに収納する場合、鍵ホルダに束ねられた鍵の寸法が鍵ホルダ保持具間の間隔より大きくなると左右上下の鍵束が重なりあったり、鍵束で鍵ホルダや鍵ホルダ保持具が隠れたりするため、整然と鍵ホルダを鍵ホルダ保持具に装着して収納ことが困難であった。
鍵ホルダ保持具に鍵や鍵束が重ならないようにするためには、保持具間の寸法を鍵束の寸法以上にする必要がある。従って、鍵収納ケースの寸法も大きくする必要があった。
警備やビル管理などの業務では、多くの鍵束を車両などで携帯する必要があり、そのために可能な限り小さなスペースで多くの鍵束を収納できる鍵収納ケースが必要とされていた。
また、従来の鍵収納ケースに多くの鍵束を収納すると、左右上下の鍵束が重なり合うことが多く容易に該当する鍵束を識別することや盗難・紛失の有無が効率よく管理できなかった。そのために収納する鍵束の数を少なくするか、鍵収納ケースの寸法を大きくすることが余儀なくされていた。
このため、数多くの不定形の鍵束を、小スペースの収納して保管でき、鍵束の識別や取出し・装着が容易で、且つ盗難・紛失の有無が効率よく管理できる収納ケースが望まれていた。
【課題を解決するための手段】
【０００４】従来の鍵収納ケースは縦置きが一般的であり、この場合鍵束は上から下につるされた形で収納される。このとき下部の鍵ホルダ保持具は上部からの鍵や鍵束等で隠される可能性がある。従来の方式で鍵束の鍵ホルダを鍵ホルダ保持具に装着して、整然と収納保管するためには上下の間隔を大きく取る必要があり、鍵収納ケースの寸法が大きくなる欠点があった。
これを改善するために、（１）保管ケースを横置きまたは引き出しにして、鍵ホルダ保持具を向かい合わせに配置することで、同じスペースで鍵ホルダ保持具と鍵ホルダ保持具の間隔を２倍にし、向かい合わせの鍵ホルダ保持具に装着した鍵束が共通の鍵束収納部のスペースに収納されるようにした。（２）鍵ホルダ部と鍵束収納部に仕切りを装備し、収納部は鍵ホルダ保持具部より高さを低くすることで、鍵や鍵束等が収納部のスペースに容易に納まるようにした。
（３）鍵束を車両等で運搬する場合、金属の鍵束同士が振動でぶつかり合い、騒音を発するために、クッション等で鍵束を押えて固定することになるが、この場合、鍵収納ケース全体を覆って押えるのではなく、鍵束収納部のみを覆って押えることで鍵束を固定するようにした。
（４）本発明は向かい合わせの鍵ホルダ保持具からの鍵束を共通の鍵束収納部のスペースに収納することで、大きなスペースを確保することができ、そのために不定形の鍵や鍵束等を収納しやすくすることが趣旨である。
【発明の効果】
【０００５】（１）鍵箱を横置きまたは引き出し型にして、鍵ホルダ保持具を向かい合せに配置することで鍵収納ケース全体の寸法を大きくすることなく、鍵ホルダ保持具の間隔を２倍まで大きくとることができるため、鍵や鍵束の寸法を従来の２倍まで許容することができ、より多くの不定形の鍵や鍵束等を容易に整然と収納することができる。
（２）鍵ホルダ保持具の部分と鍵収納部分を仕切り、高低差をつけることで、鍵ホルダ保持具に装着された鍵束が、鍵収納部のスペースに収まりやすくなる。且つ鍵束が鍵ホルダ保持具の部分を覆い隠すことがなくなるため、その部分にＬＥＤ表示器などで表示することで、容易に鍵や鍵束等の識別や、盗難・紛失の有無を判別することができる。
（３）鍵収納部のスペースのみに鍵束などの固定用の押えを設けることで、押えの機構が小型で簡単になる。また押えが鍵ホルダ保持具の部分を覆い隠さないため、押えを開かずに鍵束等の収納状況を把握することができる。
【図面の簡単な説明】
【０００６】
【図１】本発明の実施例の構造図である。
【図２】本発明の実施例の外観図である。
【図３】本発明の鍵収納ケースを車両で携帯する為に、ケース収納ラックに格納した例である。
【発明を実施するための形態】
【０００７】本発明の実施形態について、図１から付図３を参照し、詳細に説明する。なお本発明はこの実施形態に限定されるものではない。
本鍵収納ケースは図１、図２の外筐体１、鍵ホルダ部保持部２、鍵収納部３、仕切り板４、鍵押さえ５、鍵ホルダ保持具６、表示ＬＥＤ７、鍵束８、鍵ホルダ９、クッション１０より構成される。
外筐体１は、鍵収納ケースの全体覆う筐体でこの中に鍵収納機構が実装される。
鍵ホルダ保持部２は鍵束８取り付けた鍵ホルダ９を装着するための鍵ホルダ保持具６が配置された部分である。
鍵束８を識別するための表示ＬＥＤ６などもこの部分に装備される。
鍵ホルダ保持具６は鍵束８を取り付けた鍵ホルダ９が装着されているか否かを検知する機構を備えたのものや単に機械的に固定する機構のみのものが配置される。
鍵束収納部３は向かい合った鍵ホルダ保持具６に装着された鍵ホルダ９に取り付けられた鍵束８が収納される部分である。
この部分は向かい合った鍵ホルダ保持具６に対し共通のスペースとなるため、鍵ホルダ保持具が通常に配置された場合の２倍のスペースを確保することができる。また鍵収納部３のスペースは鍵ホルダ保持部２と仕切り板４で仕切られており、鍵ホルダ保持部２と高低差が設けられている。これにより不定形の多くの鍵束等が収納しやすくなる。収納された鍵束８は鍵束収納部３のスペースに重なって収納されることがあるが、鍵ホルダ保持部２に鍵ホルダ９が整然と並べられており、鍵束８で覆い隠されることが無いため、鍵束８の識別や取出しを容易に行なうことができる。
鍵収納ケース１１を車両等で運版する場合は、振動により鍵束収納部３のスペースに収納された鍵束８同士が振動でぶつかりあって騒音を発生するためにクッション１０を取り付けた鍵押え５で、鍵束８を固定して騒音をおさえる。
複数の鍵収容ケースを車両で携帯する場合は図３のように車両に取り付けられたケース収納ラック１２に、本鍵収容ケース１１を格納しての使用が一般的である。
また、室内に設置して使用する場合でも、本鍵収納ケース１１が複数になる場合は、ケース収納ラック１２に格納しての使用が一般的である。
本発明の主旨は、向かい合った鍵ホルダ保持具６の装着された鍵ホルダ９に取り付けられた鍵束８を共通の鍵束収納部３スペースに収納することで鍵収納ケースの外筐体１の寸法を大きくすることなく、鍵収納のために大きな鍵収納部３のスペースを確保することができ、不定形で多様な鍵束８などを容易に収納することが趣旨である。
本実施例では、２列の鍵ホルダ保持具６を向かい合わせて鍵束収納部３のスペースを確保した例であるが、鍵ホルダ保持具６を四角形や多角形あるいは円などに配置し、鍵ホルダ保持具６で囲まれたスペースを鍵収納スペースとすることも考えられる。
また収納されるものは鍵束８が主であるが、鍵ホルダに取り付けられるものに制限されない。
【符号の説明】
【０００８】（１）外筐体
（２）鍵ホルダ保持部
（３）鍵束収納部
（４）仕切り板
（５）鍵押さえ
（６）鍵ホルダ保持具
（７）表示ＬＥＤ
（８）鍵束
（９）鍵ホルダ
（１０）クッション
（１１）鍵収納ケース
（１２）ケース収納ラック
【図１】
2013036307.tif 000003
【図２】
2013036307.tif 000004
【図３】
2013036307.tif 000005